(57)【要約】【課題】所定の制御幅でゲインを制御するステップゲイン制御アンプなどの増幅器を用いた場合でも、小さい回路規模で容易に正確な送信電力制御を行うこと。【解決手段】Ｄ／Ａ変換部１１０−１，１１０−２は、パワ制御部１８０からの補正値に従ってＩ信号およびＱ信号の電力を補正し、アナログ信号を出力する。直交変調部１２０は、アナログ信号を直交変調し、ＲＦ信号を出力する。ステップゲイン制御アンプ１３０は、パワ制御部１８０からの制御信号に応じてゲインを切り替え、ＲＦ信号を増幅する。パワ制御部１８０は、送信パワ指定値からゲインセッティングを決定し、制御信号としてステップゲイン制御アンプ１３０へ出力する。また、パワ制御部１８０は、補正テーブル１９０を参照し、Ｉ信号およびＱ信号の電力の補正値を決定し、Ｄ／Ａ変換部１１０−１，１１０−２へ出力する。【選択図】      図１
2004229192.tif 000002
【特許請求の範囲】
【請求項１】
送信信号をディジタル／アナログ変換する変換手段と、
前記変換手段によってディジタル／アナログ変換されて得られるアナログ信号を所定の制御幅のゲインで増幅する増幅手段と、
前記増幅手段および前記変換手段を制御して所望の送信電力で信号を送信させる制御手段と、を有し、
前記制御手段は、
所望の送信電力に対応したゲインを前記増幅手段に設定するとともに、前記増幅手段によって増幅されて得られる信号の電力の誤差を相殺するように前記変換手段に前記送信信号の電力を補正させることを特徴とする送信装置。
【請求項２】
前記変換手段は、前記増幅手段におけるゲインの制御幅以下の誤差を相殺することを特徴とする請求項１記載の送信装置。
【請求項３】
前記制御手段は、
前記増幅手段によって増幅されて得られる信号の誤差を相殺するための補正値を取得する取得手段、を含み、
前記変換手段は、
前記取得手段によって取得された補正値を前記送信信号に加算した上でディジタル／アナログ変換することを特徴とする請求項１記載の送信装置。
【請求項４】
前記増幅手段によって過去に増幅されて得られた信号の電力と所望の送信電力との誤差を示す送信誤差電力を算出する算出手段、をさらに有し、
前記取得手段は、
前記送信誤差電力に基づいて前記補正値を取得することを特徴とする請求項３記載の送信装置。
【請求項５】
請求項１から請求項４のいずれかに記載の送信装置を有することを特徴とする移動局装置。
【請求項６】
送信信号を所定の制御幅のゲインで増幅する増幅器を有する送信装置において用いられる送信電力制御方法であって、
所望の送信電力に対応したゲインを所定の制御幅で前記増幅器に設定し、
前記増幅器によって増幅されて得られる信号の電力と前記所望の送信電力との誤差を相殺するように前記送信信号の電力を補正し、
電力を補正して得られた信号をディジタル／アナログ変換し、
ディジタル／アナログ変換して得られたアナログ信号を前記増幅器にて前記設定されたゲインで増幅する、
ことを特徴とする送信電力制御方法。
【発明の詳細な説明】
【０００１】
【発明の属する技術分野】
本発明は、送信装置および送信電力制御方法に関し、特に、段階的にゲインを制御するステップゲイン制御アンプを用いる送信装置および送信電力制御方法に関する。
【０００２】
【従来の技術】
近年、送信電力制御の精度の向上およびアンプによる消費電力の低減の観点から、ゲインを段階的に制御するステップゲイン制御アンプが注目されている。ステップゲイン制御アンプは、所望の送信パワに対応したゲインを設定するための値（以下、「ゲインセッティング」という）に対して、所定の制御幅（一般には、１ｄＢ幅以上）でゲインを決定し、送信信号を増幅する。
【０００３】
また、ステップゲイン制御アンプと同様の効果を得るために、ディジタル段付き減衰器とアンプとを組み合わせて用いることがある（例えば、特許文献１参照）。
【０００４】
【特許文献１】
特許第３２４５８６３号公報
【０００５】
【発明が解決しようとする課題】
しかしながら、上述した従来のステップゲイン制御アンプ（または、ディジタル段付き減衰器とアンプとの組み合わせ）を用いる送信装置においては、制御幅以下の誤差を補正するために、アナログゲイン制御アンプやアナログ制御減衰器などのアナログ回路素子を用いる必要がある。換言すれば、ステップゲイン制御アンプを用いる送信装置は、誤差を補正するためだけに余分な回路素子を必要とし、回路規模が大きくなるという問題がある。
【０００６】
また、これらのアナログ回路素子を用いる場合、アナログ回路素子そのものにも制御電圧に対する誤差や個体差があり、調整を行う必要があるという問題がある。
【０００７】
本発明は、かかる点に鑑みてなされたものであり、所定の制御幅でゲインを制御するステップゲイン制御アンプなどの増幅器を用いた場合でも、小さい回路規模で容易に正確な送信電力制御を行うことができる送信装置および送信電力制御方法を提供することを目的とする。
【０００８】
【課題を解決するための手段】
本発明の送信装置は、送信信号をディジタル／アナログ変換する変換手段と、前記変換手段によってディジタル／アナログ変換されて得られるアナログ信号を所定の制御幅のゲインで増幅する増幅手段と、前記増幅手段および前記変換手段を制御して所望の送信電力で信号を送信させる制御手段と、を有し、前記制御手段は、所望の送信電力に対応したゲインを前記増幅手段に設定するとともに、前記増幅手段によって増幅されて得られる信号の電力の誤差を相殺するように前記変換手段に前記送信信号の電力を補正させる構成を採る。
【０００９】
この構成によれば、ステップゲイン制御アンプなどを用いて所定の制御幅のゲインで信号を増幅する場合に、増幅されて得られる信号の電力の誤差を相殺するように、ディジタル／アナログ変換時にあらかじめ送信信号の電力を補正するため、所定の制御幅でゲインを制御するステップゲイン制御アンプなどの増幅器を用いた場合でも、小さい回路規模で容易に正確な送信電力制御を行うことができる。
【００１０】
本発明の送信装置は、前記変換手段は、前記増幅手段におけるゲインの制御幅以下の誤差を相殺する構成を採る。
【００１１】
この構成によれば、ゲインの制御幅以下の誤差を相殺するため、信号の送信電力を所望の送信電力に一致させることができる。
【００１２】
本発明の送信装置は、前記制御手段は、前記増幅手段によって増幅されて得られる信号の誤差を相殺するための補正値を取得する取得手段、を含み、前記変換手段は、前記取得手段によって取得された補正値を前記送信信号に加算した上でディジタル／アナログ変換する構成を採る。
【００１３】
この構成によれば、増幅後の信号の誤差を相殺するための補正値を送信信号に加算した上でディジタル／アナログ変換するため、送信装置に特別な回路素子を追加することなく、従来のＤ／Ａ変換器を用いて正確な送信電力を行うことができる。
【００１４】
本発明の送信装置は、前記増幅手段によって過去に増幅されて得られた信号の電力と所望の送信電力との誤差を示す送信誤差電力を算出する算出手段、をさらに有し、前記取得手段は、前記送信誤差電力に基づいて前記補正値を取得する構成を採る。
【００１５】
この構成によれば、過去に増幅されて得られた信号の電力と所望の送信電力との誤差を示す送信誤差電力に基づいて補正値を取得するため、送信誤差電力をフィードバックして、この送信誤差電力を小さくするように回路のゲインを制御するＡＰＣ（Ａｕｔｏ  Ｐｏｗｅｒ  Ｃｏｎｔｒｏｌ：自動パワ制御）を行う場合でも、送信装置に特別な回路素子を追加することなく、従来のＤ／Ａ変換器を用いてさらに正確な送信電力を行うことができる。
【００１６】
本発明の移動局装置は、上記のいずれかに記載の送信装置を有する構成を採る。
【００１７】
この構成によれば、上記のいずれかに記載の送信装置と同様の作用効果を移動局装置において実現することができる。
【００１８】
本発明の送信電力制御方法は、送信信号を所定の制御幅のゲインで増幅する増幅器を有する送信装置において用いられる送信電力制御方法であって、所望の送信電力に対応したゲインを所定の制御幅で前記増幅器に設定し、前記増幅器によって増幅されて得られる信号の電力と前記所望の送信電力との誤差を相殺するように前記送信信号の電力を補正し、電力を補正して得られた信号をディジタル／アナログ変換し、ディジタル／アナログ変換して得られたアナログ信号を前記増幅器にて前記設定されたゲインで増幅する、ようにした。
【００１９】
この方法によれば、ステップゲイン制御アンプなどを用いて所定の制御幅のゲインで信号を増幅する場合に、増幅されて得られる信号の電力の誤差を相殺するように、ディジタル／アナログ変換時にあらかじめ送信信号の電力を補正するため、所定の制御幅でゲインを制御するステップゲイン制御アンプなどの増幅器を用いた場合でも、小さい回路規模で容易に正確な送信電力制御を行うことができる。
【００２０】
【発明の実施の形態】
本発明の骨子は、ステップゲイン制御アンプでは制御しきれない送信信号の送信パワをＤ／Ａ変換の際にＩ信号およびＱ信号の電力を補正することによって制御し、送信信号の送信パワを所望の値とすることである。
【００２１】
以下、本発明の実施の形態について、図面を参照して詳細に説明する。
【００２２】
（実施の形態１）
図１は、本発明の実施の形態１に係る送信装置の要部構成を示すブロック図である。同図に示す送信装置は、Ｄ／Ａ（Ｄｉｇｉｔａｌ／Ａｎａｌｏｇ）変換部１１０−１，１１０−２、直交変調部１２０、ステップゲイン制御アンプ１３０、バンドパスフィルタ１４０、パワアンプ１５０、アイソレータ１６０、アンテナ共用部１７０、パワ制御部１８０、および補正テーブル１９０を有している。
【００２３】
Ｄ／Ａ変換部１１０−１，１１０−２は、それぞれ、送信信号の同相成分であるＩ（Ｉｎｐｈａｓｅ）信号および直交成分であるＱ（Ｑｕａｄｒａｔｕｒｅ）信号をＤ／Ａ変換してアナログ信号を出力する。このとき、Ｄ／Ａ変換部１１０−１，１１０−２は、パワ制御部１８０から出力される補正値に従って、Ｉ信号およびＱ信号の電力を補正した上でアナログ信号を出力する。この補正については、後に詳述する。
【００２４】
直交変調部１２０は、Ｄ／Ａ変換部１１０−１，１１０−２から出力されたアナログ信号を直交変調し、ＲＦ（Ｒａｄｉｏ  Ｆｒｅｑｕｅｎｃｙ：無線周波数）帯のＲＦ信号を出力する。
【００２５】
ステップゲイン制御アンプ１３０は、パワ制御部１８０から出力される制御信号に応じてゲインを切り替え、ＲＦ信号を増幅する。
【００２６】
バンドパスフィルタ１４０は、増幅されたＲＦ信号に対して所望の通過帯域のみをフィルタリングする。
【００２７】
パワアンプ１５０は、フィルタリング後の信号を増幅する。
【００２８】
アイソレータ１６０は、パワアンプ１５０とアンテナ共用部１７０との高周波的なアイソレーションをとる。
【００２９】
アンテナ共用部１７０は、アイソレータ１６０を経て出力される送信信号をアンテナを介して送信するとともに、アンテナを介して受信された受信信号を図示しない受信部へ出力する。
【００３０】
パワ制御部１８０は、送信信号の所望のパワを示す送信パワ指定値に基づいてステップゲイン制御アンプ１３０に設定するゲインセッティングを決定し、制御信号としてステップゲイン制御アンプ１３０へ出力する。また、パワ制御部１８０は、補正テーブル１９０を参照し、Ｉ信号およびＱ信号の電力の補正値を決定し、それぞれＤ／Ａ変換部１１０−１，１１０−２へ出力する。
【００３１】
補正テーブル１９０は、送信パワ指定値に対応するＩ信号およびＱ信号の電力の補正値を保持している。なお、補正テーブル１９０は、送信装置が送信可能な最大送信電力に対応する補正値をすべてのゲインセッティングに対応する補正値として保持していても良く、また、所定のゲインセッティングに対応する補正値を個別に保持していても良い。
【００３２】
図２は、本実施の形態に係るパワ制御部１８０の構成を示すブロック図である。パワ制御部１８０は、ゲイン決定部１８２、ゲインセッティングテーブル１８４、および補正値算出部１８６を有している。
【００３３】
ゲイン決定部１８２は、送信パワ指定値に対応するゲインセッティングをゲインセッティングテーブル１８４から読み出すことによりステップゲイン制御アンプ１３０のゲインを決定する。
【００３４】
ゲインセッティングテーブル１８４は、送信パワ指定値に対応するゲインセッティングを保持している。
【００３５】
補正値算出部１８６は、アンテナから送信される送信信号の送信パワが送信パワ指定値に等しくなるように、補正テーブル１９０から補正値を読み出してＤ／Ａ変換部１１０−１，１１０−２へ出力する。また、補正値算出部１８６は、ゲイン決定部１８２によって読み出されたゲインセッティングを制御信号としてステップゲイン制御アンプ１３０へ出力する。
【００３６】
ここで、ゲイン決定部１８２によってゲインセッティングテーブル１８４から読み出されるゲインセッティングは、送信パワ指定値に対応するものであるため、ステップゲイン制御アンプ１３０によってゲインが制御されることにより、送信信号の送信パワは送信パワ指定値に近い値となる。しかし、ステップゲイン制御アンプ１３０の制御幅以下の誤差については調整されず、また、アンテナ共用部１７０までの送信系統におけるゲインやロス等のばらつきにより、送信信号の送信パワが送信パワ指定値に一致しない。
【００３７】
したがって、例えば送信装置の生産時などに、補正値算出部１８６によって読み出された補正値を用いて、Ｄ／Ａ変換部１１０−１，１１０−２がＩ信号およびＱ信号の電力をそれぞれ補正するように調整することにより、送信信号の送信パワを所望の送信パワ指定値に一致させる。
【００３８】
次いで、上記のように構成された送信装置の動作について説明する。
【００３９】
まず、送信パワ指定値がパワ制御部１８０に入力されると、ゲイン決定部１８２によって送信パワ指定値に対応するゲインセッティングがゲインセッティングテーブル１８４から読み出されることにより、ステップゲイン制御アンプ１３０におけるゲインが決定される。続いて、補正値算出部１８６によって、ステップゲイン制御アンプ１３０では調整しきれない送信パワを補正するための補正値が補正テーブル１９０から読み出され、この補正値がＤ／Ａ変換部１１０−１，１１０−２へ出力される。なお、この補正値は、ディジタルデータである。また、ゲイン決定部１８２によって読み出されたゲインセッティングが制御信号としてステップゲイン制御アンプ１３０へ出力される。
【００４０】
そして、Ｉ信号およびＱ信号が、それぞれＤ／Ａ変換部１１０−１，１１０−２へ入力されると、各信号にディジタルデータの補正値が加算され、その後、Ｄ／Ａ変換され、アナログ信号が出力される。通常、Ｄ／Ａ変換部１１０−１，１１０−２を構成するＤ／Ａコンバータは、送信される信号の最大振幅の２倍程度のダイナミックレンジを有している。このようなＤ／Ａコンバータを用いた場合、最大ダイナミックレンジに対して６ｄＢ程度の補正レンジを確保することができる。
【００４１】
また、例えばＣＤＭＡ方式を採用する無線通信システムにおいては、１０〜１２ビットの分解能を持つＤ／Ａコンバータが使用されることがある。このようなＤ／Ａコンバータを用いた場合、ステップゲイン制御アンプ１３０の制御幅に対して、１ビットあたりの補正量を充分小さくすることができるため、精度の高い電力の補正を行うことができる。
【００４２】
出力されたアナログ信号は、直交変調部１２０によって直交変調され、ＲＦ信号が出力される。ＲＦ信号は、ステップゲイン制御アンプ１３０によって増幅される。このとき、ステップゲイン制御アンプ１３０は、パワ制御部１８０から出力される制御信号に応じたゲインでＲＦ信号を増幅する。また、Ｄ／Ａ変換部１１０−１，１１０−２によって電力が補正されているため、ステップゲイン制御アンプ１３０によって増幅されて得られた信号は、アンテナから送信される際の送信パワが所望の送信パワ指定値となるようなパワを有している。
【００４３】
そして、増幅後の信号は、バンドパスフィルタ１４０によって所望の通過帯域のみがフィルタリングされ、パワアンプ１５０によって増幅され、アイソレータ１６０、アンテナ共用部１７０、およびアンテナを介して送信される。このときの送信パワは、Ｄ／Ａ変換部１１０−１，１１０−２による補正、およびステップゲイン制御アンプ１３０およびパワアンプ１５０による増幅が行われているため、所望の送信パワ指定値に等しくなっている。
【００４４】
このように、本実施の形態によれば、送信パワ指定値に対応するゲインセッティングをステップゲイン制御アンプに設定するとともに、送信パワの誤差に対応する補正値を補正テーブルから読み出し、Ｄ／Ａ変換時に補正を行うため、所定の制御幅でゲインを制御するステップゲイン制御アンプなどの増幅器を用いた場合でも、小さい回路規模で容易に正確な送信電力制御を行うことができる。
【００４５】
（実施の形態２）
本発明の実施の形態２の特徴は、ＡＰＣ（Ａｕｔｏ  Ｐｏｗｅｒ  Ｃｏｎｔｒｏｌ：自動パワ制御）ループを設け、送信電力制御の精度をさらに向上させる点である。
【００４６】
図３は、本実施の形態に係る送信装置の要部構成を示すブロック図である。なお、同図に示す送信装置において、図１に示す送信装置と同じ部分には同じ符号を付し、その説明を省略する。図３に示す送信装置は、Ｄ／Ａ変換部１１０−１，１１０−２、直交変調部１２０、ステップゲイン制御アンプ１３０、バンドパスフィルタ１４０、パワアンプ１５０、アイソレータ１６０、アンテナ共用部１７０、パワ制御部１８０ａ、補正テーブル１９０、方向性結合部２１０、検波部２２０、Ａ／Ｄ変換部２３０、および比較演算部２４０を有している。
【００４７】
パワ制御部１８０ａは、送信パワ指定値および比較演算部２４０から出力される送信誤差電力に基づいてステップ制御アンプ１３０に設定するゲインセッティングを決定し、制御信号としてステップゲイン制御アンプ１３０へ出力する。また、パワ制御部１８０ａは、補正テーブル１９０を参照し、Ｉ信号およびＱ信号の電力の補正値を決定し、それぞれＤ／Ａ変換部１１０−１，１１０−２へ出力する。
【００４８】
方向性結合部２１０は、パワアンプ１５０から出力された信号から、所定の結合量に応じた減衰分波を行って信号を抽出し、検波部２２０へ出力する。ここで、減衰分波を行って抽出された信号は、アンテナから送信される送信信号のパワと送信パワ指定値とを比較するために用いられる。すなわち、この信号は、パワアンプ１５０からの出力パワの、所望の送信パワ指定値に対する誤差電力検出のために用いられる。
【００４９】
検波部２２０は、方向性結合部２１０からの出力信号を検波し、信号レベルに応じた電圧値を出力する。
【００５０】
Ａ／Ｄ変換部２３０は、検波部２２０からの出力電圧をＡ／Ｄ変換する。
【００５１】
比較演算部２４０は、電圧のディジタルデータと送信パワ指定値とを比較し、アンテナから送信される送信信号のパワと送信パワ指定値との誤差（送信誤差電力）を算出する。換言すれば、比較演算部２４０では、パワアンプ１５０からの出力信号のパワと所望の送信パワ指定値に対応する値との誤差が得られる。
【００５２】
方向性結合部２１０、検波部２２０、Ａ／Ｄ変換部２３０、および比較演算部２４０は、ＡＰＣループを形成している。
【００５３】
図４は、本実施の形態に係るパワ制御部１８０ａの構成を示すブロック図である。同図において、図２と同じ部分には同じ符号を付し、その説明を省略する。パワ制御部１８０ａは、ゲイン決定部１８２、ゲインセッティングテーブル１８４、補正値算出部１８６ａ、および振幅換算部１８８を有している。
【００５４】
補正値算出部１８６ａは、アンテナから送信される送信信号の送信パワが送信パワ指定値に等しくなるように、補正テーブル１９０から読み出した値と振幅換算部１８８から出力されるＩ信号およびＱ信号の振幅データとに基づいて補正値を算出し、Ｄ／Ａ変換部１１０−１，１１０−２へ出力する。また、補正値算出部１８６ａは、ゲイン決定部１８２によって読み出されたゲインセッティングを制御信号としてステップゲイン制御アンプ１３０へ出力する。このとき、補正値算出部１８６ａは、算出した補正値がＤ／Ａ変換部１１０−１，１１０−２において補正可能なゲイン制御レンジを超える場合、ゲインセッティングを調整して制御信号を生成し、Ｄ／Ａ変換部１１０−１，１１０−２がオーバーフローしないようにする。
【００５５】
振幅換算部１８８は、比較演算部２４０から出力される送信誤差電力をＩ信号およびＱ信号の振幅データに換算する。
【００５６】
次いで、上記のように構成された送信装置の動作について説明する。
【００５７】
ここでは、すでに送信装置が動作しており、アンテナから信号が送信されている場合の動作について説明する。
【００５８】
パワアンプ１５０によって増幅された送信信号は、方向性結合部２１０へ入力される。方向性結合部２１０によって、送信信号が減衰分波され、得られた信号は検波部２２０へ出力される一方、送信信号は、アイソレータ１６０、アンテナ共用部１７０、およびアンテナを介して送信される。
【００５９】
検波部２２０へ入力された減衰分波後の信号は、検波されて信号レベルに応じた電圧値が出力される。この電圧値は、Ａ／Ｄ変換部２３０によってＡ／Ｄ変換され、ディジタルデータが比較演算部２４０へ出力される。そして、比較演算部２４０によって、送信パワ指定値とＡ／Ｄ変換部２３０から出力されたディジタルデータとの差が算出され、所定のＡＰＣループ利得値が乗算されることにより、送信誤差電力が算出される。算出された送信誤差電力は、振幅換算部１８８へ出力される。
【００６０】
そして、振幅換算部１８８によって、送信誤差電力がＩ信号およびＱ信号の振幅データへ換算される。
【００６１】
一方、実施の形態１と同様に、ゲイン決定部１８２によって送信パワ指定値に対応するゲインセッティングがゲインセッティングテーブルから読み出されることにより、ステップゲイン制御アンプ１３０におけるゲインが決定される。
【００６２】
振幅データおよびゲインセッティングは補正値算出部１８６ａへ出力され、補正値算出部１８６ａによって、Ｉ信号およびＱ信号の電力を補正するための補正値が算出される。また、ゲインセッティングを通知するための制御信号が生成され、ステップゲイン制御アンプ１３０へ出力される。
【００６３】
このとき、上述したように、Ｉ信号およびＱ信号の補正値がＤ／Ａ変換部１１０−１，１１０−２のゲイン制御レンジを超える場合、ゲインセッティングが調整された上で制御信号が生成されるため、Ｄ／Ａ変換部１１０−１，１１０−２はオーバーフローすることがない。
【００６４】
以下、実施の形態１と同様に、Ｄ／Ａ変換部１１０−１，１１０−２によって、Ｉ信号およびＱ信号に補正値が加算され、Ｄ／Ａ変換され、アナログ信号が出力される。出力されたアナログ信号は、直交変調部１２０によって直交変調され、ステップゲイン制御アンプ１３０によって制御信号に応じたゲインで増幅が行われる。
【００６５】
そして、増幅後の信号は、バンドパスフィルタ１４０によって所望の通過帯域のみがフィルタリングされ、パワアンプ１５０によって増幅され、方向性結合部２１０、アイソレータ１６０、アンテナ共用部１７０、およびアンテナを介して送信される。また、上述のように、方向性結合部２１０によって減衰分波が行われ、再びＡＰＣループにより、自動パワ制御が行われる。これにより、パワアンプ１５０等の回路素子においてゲイン変動が生じた場合でもアンテナから送信される送信信号の送信パワと所望の送信パワ指定値とを一致させることができる。
【００６６】
このように、本実施の形態によれば、補正テーブルから読み出した値とＡＰＣループによって求められた送信誤差電力とに基づいて補正値を算出し、Ｄ／Ａ変換時に補正を行うため、所定の制御幅でゲインを制御するステップゲイン制御アンプなどの増幅器を用いた場合でも、小さい回路規模で容易に正確な送信電力制御を行うことができるとともに、送信電力制御の精度をさらに向上させることができる。
【００６７】
【発明の効果】
以上説明したように、本発明によれば、所定の制御幅でゲインを制御するステップゲイン制御アンプなどの増幅器を用いた場合でも、小さい回路規模で容易に正確な送信電力制御を行うことができる。
【図面の簡単な説明】
【図１】本発明の実施の形態１に係る送信装置の構成を示すブロック図
【図２】実施の形態１に係るパワ制御部の構成を示す図
【図３】本発明の実施の形態２に係る送信装置の構成を示すブロック図
【図４】実施の形態２に係るパワ制御部の構成を示す図
【符号の説明】
１１０−１，１１０−２  Ｄ／Ａ変換部
１２０  直交変調部
１３０  ステップゲイン制御アンプ
１４０  バンドパスフィルタ
１５０  パワアンプ
１６０  アイソレータ
１７０  アンテナ共用部
１８０，１８０ａ  パワ制御部
１８２  ゲイン決定部
１８４  ゲインセッティングテーブル
１８６，１８６ａ  補正値算出部
１８８  振幅換算部
１９０  補正テーブル
２１０  方向性結合部
２２０  検波部
２３０  Ａ／Ｄ変換部
２４０  比較演算部
【図１】
2004229192.tif 000003
【図２】
2004229192.tif 000004
【図３】
2004229192.tif 000005
【図４】
2004229192.tif 000006